(57)【要約】    【課題】複数の印字装置の設定変更にかかる作業量を分割可能とする印字装置を提供することを課題とする。    【解決手段】  本発明に係る印字装置は、予め入力部に入力された予約設定日時および予約設定内容をフラッシュＲＯＭに記憶し、日時を計時するカレンダＩＣから出力される現在日時がフラッシュＲＯＭに記憶された予約設定日時と同一または予約設定日時以降の場合にフラッシュＲＯＭに記憶された予約設定内容に設定を変更することを特徴とする。    【選択図】  図４
2006095796.tif 000002
【特許請求の範囲】
【請求項１】
用紙を搬送し、かつ印字を施す印字手段と、
予約設定日時および予約設定内容を入力する入力手段と、
該入力手段から入力された予約設定日時および予約設定内容を記憶する記憶手段と、
日時を計時し、現在日時を出力するカレンダ手段と、
該カレンダ手段が出力する現在日時が前記記憶手段に記憶された予約設定日時と同一または予約設定日時以降であるかを判断する判断手段と、
該判断手段により前記現在日時が予約設定日時と同一または予約設定日時以降であると判断した場合に前記記憶手段に記憶されている予約設定内容に設定を変更する設定変更手段と、
を有することを特徴とする印字装置。
【請求項２】
前記予約設定内容は、消費税率であり、前記予約設定日時は消費税率改正の施行日であることを特徴とする請求項１記載の印字装置。
【請求項３】
前記入力手段は、商品の本体価格情報を入力可能とし、
更に、前記本体価格情報および現在設定されている消費税率から前記商品の支払総額を算出する商品価格算出手段を有し、前記印字手段により用紙に前記支払総額を印字することを特徴とする請求項２記載の印字装置。
【請求項４】
前記印字手段は、前記設定変更手段が設定を変更した際にその設定を変更する前の設定内容と設定変更後の設定内容を印字することを特徴とする請求項１または２記載の印字装置。
【発明の詳細な説明】
【技術分野】
【０００１】
本発明は、各種の設定を変更可能な印字装置に関し、特に予約した日時に自動で設定変更を行う印字装置に関する。
【背景技術】
【０００２】
印字装置は、例えばスーパーなどに設置され、販売する商品に貼付するラベルに対して商品名や価格や賞味期限、バーコードなどを印字している。ところで、ラベルに印字される価格は、消費者が消費税相当額を含む支払総額が一目でわかるようにするため２００４年４月１日から総額表示が義務付けられている。例えば、商品の本体価格（税抜き価格）が９８００円の場合には、消費税率５％としたとき消費税分の４９０（＝９８００×０．０５）円を９８００円に加算して得られる商品の支払総額は１０２９０円となり、この１０２９０円をラベルに印字しなければならない。
商品の支払総額を印字する装置に関連する技術として、下記特許文献１には商品の重量と設定された単価により決定する商品の価格である本体価格を算出する本体価格算出手段と、この本体価格と消費税率とから求められる消費税額を算出する消費税額算出手段と、前記本体価格と前記消費税額とから求められる総支払額を算出する総支払額算出手段と、前記総支払額の表記の近傍に前記本体価格の表記及び前記消費税額を表記するように前記ラベルに印字する印字フォーマットと、この印字フォーマットに基づきラベルを印字する印字手段とを備えたプリンタ付き電子料金秤が開示されている。
【特許文献１】特開平２００３−１６５２９号公報
【発明の開示】
【発明が解決しようとする課題】
【０００３】
例えば、消費税率が５％から７％に改正されると仮定すると、消費税率５％で算出された総支払額が印字されたすべてのラベルが不要となり、新たに消費税率７％で算出した総支払額が印字されたラベルが必要となる。
特許文献１において、上述の様に消費税率が改正されるとスーパーなどに複数設置された全てのプリンタ付き電子料金秤の消費税率設定を５％から７％に変更し、改正後の消費税率７％に基づき算出した支払総額をラベルに印字し、このラベルを全ての商品に貼付するという多大な労力が必要であるという問題があった。更に、消費税率は施行日に一斉に改正となるため、消費税率改正の施行日前日のスーパー閉店後から翌日の施行日のスーパー開店時間までの限られた時間内で消費税率の設定変更、ラベル印字、商品へのラベル貼付作業を完了しなければならず、多大な労力を必要としていた。
本発明は、上記の問題点に鑑みてなされたもので、複数の印字装置の設定変更にかかる作業量を分割可能とする印字装置を提供することを目的とする。
【課題を解決するための手段】
【０００４】
本発明に係る印字装置は、用紙を搬送し、かつ印字を施す印字手段と、予約設定日時および予約設定内容を入力する入力手段と、該入力手段から入力された予約設定日時および予約設定内容を記憶する記憶手段と、日時を計時し、現在日時を出力するカレンダ手段と、
該カレンダ手段が出力する現在日時が前記記憶手段に記憶された予約設定日時と同一または予約設定日時以降であるかを判断する判断手段と、該判断手段により前記現在日時が予約設定日時と同一または予約設定日時以降であると判断した場合に前記記憶手段に記憶されている予約設定内容に設定を変更する設定変更手段と、を有することを特徴とする。
また、前記予約設定内容は、消費税率であり、前記予約設定日時は消費税率改正の施行日であることを特徴とする。
また、前記入力手段は、商品の本体価格情報を入力可能とし、更に、前記本体価格情報および現在設定されている消費税率から前記商品の支払総額を算出する商品価格算出手段を有し、前記印字手段により用紙に前記支払総額を印字することを特徴とする。
また、前記印字手段は、前記設定変更手段が設定を変更した際にその設定を変更する前の設定内容と設定変更後の設定内容を印字することを特徴とする。
【発明の効果】
【０００５】
カレンダ手段が出力する現在日時が記憶手段に記憶された予約設定日時と同一または予約設定日時以降であるかを判断し、現在日時が予約設定日時と同一または予約設定日時以降であると判断した場合に予約設定内容に設定を変更するようにしたので、他の作業の空き時間を利用して印字装置の設定変更を行う事が出来る。
また、消費税率および消費税率改正の施行日を入力し、カレンダ手段が出力する現在日時が消費税改正施行日と同一または施行日以降であれば、設定手段により入力された消費税率に設定を変更することにより、消費税率改正の施行日前に印字装置の設定作業を終了することができる。また、複数の印字装置に採用することで設定変更の作業量を分割でき、
設定変更にかかる作業の労力を軽減する事ができる。
また、入力手段から入力された商品の本体価格情報と設定されている消費税率から商品の支払総額を算出し、総支払額を用紙に印字することができる。
また、前記設定変更手段が設定を変更した際にその設定を変更する前の設定内容と設定変更後の設定内容を印字するようにしたので、目視で予約設定が実行されたことを確認することができる。
【発明を実施するための最良の形態】
【０００６】
以下、図面を参照しながら発明を実施するための最良の形態について説明する。
【０００７】
図１は、印字装置の概略斜視図であり、図２は、印字装置の断面図であり、これらの図に示すように印字装置１は、主として供給部２と、センサ３と、印字部４を備えている。
【０００８】
供給部２は、図示しない供給軸とラベルガイドを有し、このラベルガイドによりロール状に巻かれたラベル連続体４０の両側面を規制し、供給軸に回転可能に保持する。尚、ラベル連続体４０は、帯状の台紙の表面に所定長さのラベルを複数仮着して構成されている。  
【０００９】
センサ３は、発光部および受光部を有し、発光部からラベル連続体４０に光を照射し、受光部で受光して、この受光部で受光した光の強弱によってラベル連続体４０の位置を検出する。
【００１０】
印字部４は、サーマルヘッド５と、図示しないモータに接続されたプラテンローラ６を有し、プラテンローラ６を回転駆動させることによってラベル連続体４０を搬送し、サーマルヘッド５の発熱作用によってラベル連続体４０に印字が施される。この印字部４は、カバー１０を閉じた状態でプラテンローラ６とサーマルヘッド５によりラベル連続体４０を挟持し、印字および搬送を行う。
【００１１】
図１に示すようにカバー１０には、予約設定内容や予約設定日時、印字情報である商品の本体価格などを入力する入力部１１と、入力部１１で入力した情報を表示する表示部１２を備えている。また、印字装置１を持ち運ぶ際の取っ手となる把持部１３を備えている。
【００１２】
印字装置１は、上記各部を制御する制御部を備え、図３に示す制御部２０について説明する。制御部２０は、所定の制御プログラムを記憶するＲＯＭ２１と、ＲＯＭ２１に記憶されている制御プログラムに従って動作し、各部を制御するＣＰＵ２２と、ＣＰＵ２２が動作する上で必要となる各種データを記憶するＲＡＭ２３と、図示しないステッピングモータを含むプラテンローラ６にパルス信号を供給し、ラベル連続体４０の搬送を制御する搬送制御回路２４と、ＣＰＵ２２から供給される印字すべき文字、図形や価格情報などの印字データに対応する制御信号を生成してサーマルヘッド５に供給し、印字動作を行わせる印字制御回路２５と、ＣＰＵ２２の制御下においてセンサ３の発光部を制御し、ラベル連続体４０に光を出射させるとともに、受光部から出力される電気信号を受け取り、デジタルのデータに変換してＣＰＵ２２に供給するラベル検出回路２６と、計時処理を行い、現在の日時を示す現在日時情報を出力するカレンダＩＣ２７と、入力部１１から入力された予約設定内容や予約設定日時など印字装置１の電源をオフにしても保持しておきたい情報を記憶するフラッシュＲＯＭ２８と、入力部１１および表示部１２を接続するインタフェース２９と、図示しないスキャナなどの外部機器を接続する外部インタフェース３０を有している。
これら各部は、データバス３１を介してＣＰＵ２２に接続され、ＣＰＵ２２の管理下において入力部１１から入力された印字データに基づきラベル連続体４０に印字が施される。
【００１３】
上述のように構成した印字装置１の予約設定方法について図４に基づき説明する。図４は、印字装置における予約設定処理を説明するフローチャート図である。尚、予約設定処理の一例として、印字装置１に現在設定されている消費税率を５％とし、消費税率の改正施行日として２００５年４月１日から消費税率を７％に変更しなければならないと仮定し、説明する。
【００１４】
まず、予約設定を動作させる事前処理として、表示部１２の表示内容に基づき、予め入力部１１から予約設定日時および予約設定内容の入力を行い、フラッシュＲＯＭ２８に記憶する。すなわち、入力する予約設定日時は、２００５年４月１日およびスーパーの開店時間として例えば午前９：００であり、予約設定内容は、消費税率７％である。
【００１５】
図４のステップＳ１において電源投入後、システムのチェックを行い、プログラムを読み出し、印字装置１の初期化を行う。カレンダＩＣ２７から現在日時情報を読み出す（ステップＳ２）と共に、フラッシュＲＯＭ２８から予約設定日時を読み出す（ステップＳ３）。このとき、カレンダＩＣ２７から読み出した現在日時情報がフラッシュＲＯＭ２８から読み出した予約設定日時と同一または予約設定日時以降であるか否かを判断する（ステップＳ４）。
【００１６】
現在日時情報が予約設定日時と同一ではなく、且つ予約設定日時以降でもない場合、すなわち現在日時が予約設定日時（２００５年４月１日午前９：００）以前である場合はステップＳ６に進み、現在設定されている消費税率５％を読み出す。ステップＳ７において、入力部１１から商品の本体価格情報を含む印字データを入力し、価格算出手段を含むＣＰＵ２２が入力された本体価格情報と消費税率５％から税込みの総支払額や消費税額を算出し（ステップＳ８）、ラベル連続体４０に印字を施す（ステップＳ９）。
【００１７】
一方、ステップＳ４において、現在日時情報が予約設定日時（２００５年４月１日午前９：００）と同一または予約設定日時以降の場合は、ステップＳ５に進み、フラッシュＲＯＭ２８に記憶された予約設定内容である消費税率７％に設定を変更する。この設定変更された消費税率７％を読み出し（ステップＳ６）、入力部１１から商品の本体価格情報を含む印字データを入力し（ステップＳ７）、本体価格情報と消費税率７％から税込みの支払総額や消費税額を算出し（ステップＳ８）、ラベル連続体４０に印字を施す（ステップＳ９）。
【００１８】
以上の予約設定処理において、複数台の印字装置が設置されたスーパーにおける設定変更方法について図５および図６に基づき説明する。図５は、スーパー内に複数台の印字装置１Ａ〜１Ｄが設置されている例を示し、図６は予約設定が実行された印字装置１Ａ〜１Ｄの表示部を示す。
まず、印字装置１Ａの入力部１１を操作し、予約設定日時である２００５年４月１日午前９：００と、予約設定内容である消費税率７％を入力し、予約設定の事前処理を行う。同様に印字装置１Ｂの入力部１１を操作し、予約設定日時である２００５年４月１日午前９：００と、予約設定内容である消費税率７％を入力し、予約設定の事前処理を行う。
この時点で印字装置１Ａおよび１Ｂは予約設定の事前処理を完了し、印字装置１Ｃおよび１Ｄは予約設定未完了の状態であるが一見しただけでどの印字装置が予約設定未完了であるか否かが判別しづらいため、図６に示すように予約設定の事前処理を完了した印字装置１Ａおよび１Ｂの表示部１２の一部に予約設定完了を示す「予約設定あり」の文字を表示させる。尚、予約設定がある旨を示すアイコンなどでも良い。
【００１９】
印字装置１Ｃおよび１Ｄの表示部１２により予約設定完了を示す文字またはアイコンがないことを確認し、印字装置１Ｃおよび１Ｄのそれぞれの入力部１１を操作し、予約設定日時である２００５年４月１日午前９：００と、予約設定内容である消費税率７％を入力し、予約設定の事前処理を行い、それぞれ印字装置１Ａ〜１Ｄにおいて上述した予約設定を実行する。
【００２０】
また、図７に示すように予約設定を実施した印字装置１で予約設定変更を実施した旨を示す旨を印字したり、また、表示部１２に予約設定変更を実施した旨を表示することにより目視で予約設定が実行されたことを確認することができる。
【００２１】
以上、発明を実施するための最良の形態において、消費税率が改正される場合に複数台の印字装置１Ａ〜１Ｄの設定作業を消費税率の改正施行日前日に集中させることなく、予約設定により作業量を分割することができ、設定変更にかかる作業の労力を軽減する事ができる。
【図面の簡単な説明】
【００２２】
【図１】本発明に係る印字装置の概略斜視図。
【図２】図１における印字装置の断面図。
【図３】制御部のブロック図。
【図４】予約設定処理を説明するフローチャート。
【図５】スーパー内に複数台の印字装置１Ａ〜１Ｄが設置されている例を説明する説明図
【図６】予約設定が完了した印字装置１Ａ〜１Ｄの表示部１２を示す説明図。
【図７】予約設定を実施した旨を示す印字を施したラベル連続体の平面図。
【符号の説明】
【００２３】
１    印字装置
２    供給部
３    センサ
４    印字部
５    サーマルヘッド
６    プラテンローラ
１０  カバー
１１  入力部
１２  表示部
１３  把持部
２０  制御部
２１  ＲＯＭ
２２  ＣＰＵ
２３  ＲＡＭ
２４  搬送制御回路
２５  印字制御回路
２６  ラベル検出回路
２７  カレンダＩＣ
２８  フラッシュＲＯＭ
２９  インタフェース
３０  外部インタフェース
３１  データバス
４０  ラベル連続体
【図１】
2006095796.tif 000003
【図２】
2006095796.tif 000004
【図３】
2006095796.tif 000005
【図４】
2006095796.tif 000006
【図５】
2006095796.tif 000007
【図６】
2006095796.tif 000008
【図７】
2006095796.tif 000009